(57)【要約】【課題】フォーカス動作を容易にしながらも小型であって、至近撮影可能距離が短く高倍率なズームレンズ鏡筒を提供する。【解決手段】第１のズームフォーカスカム部２０ａにより決まる第１の移動量と第２のズームフォーカスカム部２０ｂにより決まる第２の移動量とを合成した移動量が、フォーカス動作時にフォーカスキー１５の回転角と被写体距離との関係が何れの焦点距離においても略同じになるようにフォーカスレンズ枠１１の位置を決めるズームフォーカスカム曲線により与えられる移動量に相当するようにする。【選択図】図１
2006072092.tif 000002
【特許請求の範囲】
【請求項１】
撮影光学系と、
フォーカス動作及びズーム動作のいずれの動作によっても移動しない固定筒と、
前記撮影光学系の一部であるフォーカスレンズを保持し、フォーカス動作及びズーム動作に応じて前記撮影光学系の光軸方向に沿って移動するフォーカスレンズ枠と、
を備え、
ズーム動作によってフォーカス状態が変化しないインナーフォーカス方式のズームレンズ鏡筒において、
複数のカム部を有し、前記複数のカム部により合成された合成移動量に従い前記フォーカスレンズ枠を移動させるズームフォーカス環を備え、
前記合成移動量は、所定のフォーカス状態の変化を生じさせる前記ズームフォーカス環の回転角が、いずれの焦点距離においても略同一回転角となるように前記フォーカスレンズ枠の位置を決めるズームフォーカスカム曲線により与えられる移動量に相当すること、
を特徴とするズームレンズ鏡筒。
【請求項２】
撮影光学系と、
フォーカス動作及びズーム動作のいずれの動作によっても移動しない固定筒と、
前記撮影光学系の一部であるフォーカスレンズを保持し、フォーカス動作及びズーム動作に応じて前記撮影光学系の光軸方向に沿って移動するフォーカスレンズ枠と、
を備え、
ズーム動作によってフォーカス状態が変化しないインナーフォーカス方式のズームレンズ鏡筒において、
前記フォーカスレンズ枠に設けられたレンズ枠接触子と、
前記光軸方向に沿って形成された直進溝が前記レンズ枠接触子と係合し、ズーム動作時に回転駆動力を受けて回転しながら前記光軸方向に沿って移動するように前記固定筒と係合するズーム環と、
前記ズーム環に設けられたズーム環接触子と、
前記撮影光学系の光軸方向に沿って形成された直進溝を有し、フォーカス動作時に前記光軸まわりで回転するフォーカスキーと、
前記フォーカスキーの直進溝と係合する係合部を有し、フォーカス動作時に前記フォーカスキーの回転と共に回転する環状の部材であって、前記ズーム環接触子と係合する第１のズームフォーカスカム部、及び、前記レンズ枠接触子と係合する第２のズームフォーカスカム部を有するズームフォーカス環と、
を備え、
前記第１のズームフォーカスカム部により決まる第１の移動量と前記第２のズームフォーカスカム部により決まる第２の移動量とを合成した合成移動量は、所定のフォーカス状態の変化を生じさせる前記ズームフォーカス環の回転角が、いずれの焦点距離においても略同一回転角となるように前記フォーカスレンズ枠の位置を決めるズームフォーカスカム曲線により与えられる移動量に相当すること、
を特徴とするズームレンズ鏡筒。
【請求項３】
請求項２に記載のズームレンズ鏡筒において、
前記第１のズームフォーカスカム部及び前記第２のズームフォーカスカム部は、前記ズームフォーカス環の回転角に応じて前記ズームフォーカスカム曲線により与えられる移動量を２等分した移動量を与えるカム形状であること、
を特徴とするズームレンズ鏡筒。
【請求項４】
請求項２又は請求項３に記載のズームレンズ鏡筒において、
前記第１のズームフォーカスカム部と前記第２のズームフォーカスカム部とは、前記ズームフォーカス環上における円周方向の位置が、互いにずらして配置されていること、
を特徴とするズームレンズ鏡筒。
【請求項５】
請求項２から請求項４までのいずれか１項に記載のズームレンズ鏡筒において、
前記フォーカスレンズ枠は、フォーカス動作時に光軸まわりにおいて回転することなく前記光軸に沿った方向に移動すること、
を特徴とするズームレンズ鏡筒。
【発明の詳細な説明】
【技術分野】
【０００１】
本発明は、カメラ等に用いられるインナーフォーカス（内焦）方式のズームレンズ鏡筒に関するものである。
【背景技術】
【０００２】
インナーフォーカス方式のズームレンズ鏡筒において、ズーム動作時の合焦位置の変化を補正する方法の一例が、特許文献１に開示されている。
この特許文献１に開示されたズームレンズでは、まず、ズームレンズの焦点距離によって異なるフォーカス曲線の中から複数のフォーカス曲線を選択し、一定の条件下で焦点深度内になるように連続的に近似的に重畳して代表的な一本のズームフォーカス曲線を作成する。そして、このズームフォーカス曲線に沿ってズーム動作をしたときのフォーカスレンズの光軸上の位置を補正するズーム補正用曲線を作成し、この２本の曲線を利用してフォーカス動作及びズーム動作を行った時のフォーカスレンズの移動量を制御している。
特許文献１に開示されたズームレンズでは、特許文献１の図９及び図１０に示されるように、フォーカスレンズ枠に固定されたピンを回転させることにより、ズーム（変倍）フォーカスカム内をピンが移動し、フォーカスレンズを前後動してフォーカス動作を行う。
【０００３】
上記の特許文献１に開示されたズームレンズでは、フォーカス駆動のためにカム機構が用いられているが、ズーム比が５倍以上の高倍率ズームレンズで至近撮影可能距離を短くしようとすると、フォーカスレンズの繰出し量が大きくなるとともに、フォーカスカムの最大傾斜角（カムの最大圧力角）が大きくなる。例えば、ズーム比が１０倍を超えるズームレンズで０．５ｍ以下の至近距離を実現しようとすると、ズームフォーカスカムの最大傾斜角は、特許文献１に開示されたズームレンズと同様な構成では、７２°以上となる。
【０００４】
しかし、特許文献１に開示されたズームレンズと同様な構成において、例えば摩擦係数を０．２として計算すると、ズームフォーカスカムの最大傾斜角が６７°以上となると、カムを移動させようとしてもピンが動かなくなってしまうという問題があった。ズームフォーカスカムの最大傾斜角が限界角（上記例では、６７°）より大きいと、どのように大きな力を加えても、ピンをカムに沿って従動させることが不可能となる。
したがって、上述のようなズームフォーカスカムの最大傾斜角が７２°以上となるような高倍率で撮影可能な至近距離が短いズームレンズは、特許文献１に開示された技術では実現することができなかった。
また、摩擦係数を小さくすることにより上記問題を解決して動作可能となったとしても、変倍フォーカスカムの光軸方向の幅が広くなり、鏡筒の大型化を避けられないという問題があった。
【特許文献１】特開平３−２３５９０８号公報
【発明の開示】
【発明が解決しようとする課題】
【０００５】
本発明の課題は、フォーカス動作を容易にしながらも小型であって、至近撮影可能距離が短く高倍率なズームレンズ鏡筒を提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
請求項１の発明は、撮影光学系と、フォーカス動作及びズーム動作のいずれの動作によっても移動しない固定筒（１２）と、前記撮影光学系の一部であるフォーカスレンズ（１６）を保持し、フォーカス動作及びズーム動作に応じて前記撮影光学系の光軸方向に沿って移動するフォーカスレンズ枠（１１）と、を備え、ズーム動作によってフォーカス状態が変化しないインナーフォーカス方式のズームレンズ鏡筒において、複数のカム部（２０ａ，２０ｂ）を有し、前記複数のカム部により合成された合成移動量に従い前記フォーカスレンズ枠を移動させるズームフォーカス環（２０）を備え、前記合成移動量は、所定のフォーカス状態の変化を生じさせる前記ズームフォーカス環の回転角が、いずれの焦点距離においても略同一回転角となるように前記フォーカスレンズ枠の位置を決めるズームフォーカスカム曲線により与えられる移動量に相当すること、を特徴とするズームレンズ鏡筒である。
【０００７】
請求項２の発明は、撮影光学系と、フォーカス動作及びズーム動作のいずれの動作によっても移動しない固定筒（１２）と、前記撮影光学系の一部であるフォーカスレンズ（１６）を保持し、フォーカス動作及びズーム動作に応じて前記撮影光学系の光軸方向に沿って移動するフォーカスレンズ枠（１１）と、を備え、ズーム動作によってフォーカス状態が変化しないインナーフォーカス方式のズームレンズ鏡筒において、前記フォーカスレンズ枠に設けられたレンズ枠接触子（１１ａ）と、前記光軸方向に沿って形成された直進溝（１３ｂ）が前記レンズ枠接触子と係合し、ズーム動作時に回転駆動力を受けて回転しながら前記光軸方向に沿って移動するように前記固定筒と係合するズーム環（１３）と、前記ズーム環に設けられたズーム環接触子（１３ａ）と、前記撮影光学系の光軸方向に沿って形成された直進溝（１５ａ）を有し、フォーカス動作時に前記光軸まわりで回転するフォーカスキー（１５）と、前記フォーカスキーの直進溝と係合する係合部（２０ｃ）を有し、フォーカス動作時に前記フォーカスキーの回転と共に回転する環状の部材であって、前記ズーム環接触子と係合する第１のズームフォーカスカム部（２０ａ）、及び、前記レンズ枠接触子と係合する第２のズームフォーカスカム部（２０ｂ）を有するズームフォーカス環（２０）と、を備え、前記第１のズームフォーカスカム部により決まる第１の移動量と前記第２のズームフォーカスカム部により決まる第２の移動量とを合成した合成移動量は、所定のフォーカス状態の変化を生じさせる前記ズームフォーカス環の回転角が、いずれの焦点距離においても略同一回転角となるように前記フォーカスレンズ枠の位置を決めるズームフォーカスカム曲線により与えられる移動量に相当すること、を特徴とするズームレンズ鏡筒である。
【０００８】
請求項３の発明は、請求項２に記載のズームレンズ鏡筒において、前記第１のズームフォーカスカム部（２０ａ）及び前記第２のズームフォーカスカム部（２０ｂ）は、前記ズームフォーカス環（２０）の回転角に応じて前記ズームフォーカスカム曲線により与えられる移動量を２等分した移動量を与えるカム形状であること、を特徴とするズームレンズ鏡筒である。
請求項４の発明は、請求項２又は請求項３に記載のズームレンズ鏡筒において、前記第１のズームフォーカスカム部（２０ａ）と前記第２のズームフォーカスカム部（２０ｂ）とは、前記ズームフォーカス環（２０）上における円周方向の位置が、互いにずらして配置されていること、を特徴とするズームレンズ鏡筒である。
請求項５の発明は、請求項２から請求項４までのいずれか１項に記載のズームレンズ鏡筒において、前記フォーカスレンズ枠（１１）は、フォーカス動作時に光軸まわりにおいて回転することなく前記光軸に沿った方向に移動すること、を特徴とするズームレンズ鏡筒である。
【発明の効果】
【０００９】
本発明によれば、以下の効果を奏することができる。
（１）複数のカム部により合成された合成移動量、又は、第１のズームフォーカスカム部により決まる第１の移動量と第２のズームフォーカスカム部により決まる第２の移動量とを合成した合成移動量は、所定のフォーカス状態の変化を生じさせるズームフォーカス環の回転角が、いずれの焦点距離においても略同一回転角となるようにフォーカスレンズ枠の位置を決めるズームフォーカスカム曲線により与えられる移動量に相当するので、カムの最大傾斜角を小さくすることができ、高倍率で撮影可能な至近距離が短いズームレンズ鏡筒であっても、確実に駆動することができると共に、必要な駆動力を小さくすることができる。
【００１０】
（２）第１のズームフォーカスカム部及び第２のズームフォーカスカム部は、ズームフォーカス環の回転角に応じてズームフォーカスカム曲線により与えられる移動量を２等分した移動量を与えるカム形状であるので、カムの傾斜角度を均等に配分することができ、必要な駆動力を最小限にすることができる。
【００１１】
（３）第１のズームフォーカスカム部と第２のズームフォーカスカム部とは、ズームフォーカス環上における円周方向の位置が、互いにずらして配置されているので、ズームフォーカス環の光軸方向の幅を狭くすることができ、ズームレンズ鏡筒を小型にすることができる。
【００１２】
（４）フォーカスレンズ枠は、フォーカス動作時に光軸まわりにおいて回転することなく光軸に沿った方向に移動するので、フォーカスレンズに偏芯があったとしても、光軸がずれることを防止できる。特に、急激な駆動のために光軸がずれやすい望遠端におけるフォーカス動作においても、結像性能の劣化や像揺れを最小限にすることができる。
【発明を実施するための最良の形態】
【００１３】
至近撮影可能距離が短く高倍率なズームレンズ鏡筒を提供するという目的を、フォーカスレンズ枠の移動量を決める複数のカム部を設けることにより、フォーカス動作を容易にすると同時に小型化して実現した。
【実施例１】
【００１４】
図１は、本発明によるズームレンズ鏡筒の実施例１の要部を示す図である。図１（ａ）は、ズームレンズ鏡筒のフォーカス駆動に関する部分を展開して示しており、図１（ｂ）は、図１（ａ）中に示したＡ１−Ａ２断面を示している。また、図１は、ズーム位置が広角端（Ｗｉｄｅ）であってフォーカス位置が至近の場合を示している。
実施例１におけるズームレンズ鏡筒は、フォーカスレンズ枠１１，固定筒１２，ズーム環１３，フォーカスキー１５，ズームフォーカス環２０等を有し、不図示のカメラボディに対して着脱自在な交換レンズである。また、本実施例におけるズームレンズ鏡筒は、ズーム動作によってフォーカス状態が変化しないインナーフォーカス方式（内焦方式）を採用している。
【００１５】
フォーカスレンズ枠１１は、合焦光学系であるフォーカスレンズ１６を保持する部材であり、ピン１１ａが設けられている。フォーカスレンズ枠１１には、後述の第２のズームフォーカスカム部２０ｂ及び直進溝１３ｂと係合するレンズ枠接触子であるピン１１ａが設けられている。
【００１６】
固定筒１２は、カメラボディに対して接続される不図示のマウント部と一体的に固定された部材であり、フォーカス動作及びズーム動作のいずれの動作によっても移動せず、ズームレンズ鏡筒のベースとなる部材である。固定筒１２には、フォーカス補正カム１２ａが形成されている。
【００１７】
ズーム環１３は、ズーム動作時に不図示のズーム操作部材を撮影者が回転操作することにより生じる回転駆動力を受けて回転する部材である。ズーム環１３には、後述の第１のズームフォーカスカム部２０ａと係合するズーム環接触子であるピン１３ａと、撮影光学系の光軸に沿った方向に延在する直進溝１３ｂと、フォーカス補正カム１２ａに係合するピン１３ｃとが設けられている。
【００１８】
フォーカスキー１５は、フォーカス動作時に撮影者の回転操作又は不図示のフォーカス駆動源からの回転駆動力を受けて光軸まわりで回転する部材である。フォーカスキー１５には、光軸方向に沿って延在する直進溝１５ａが形成されており、この直進溝１５ａには、ピン２０ｃが係合している。
フォーカスレンズ１６は、不図示の撮影光学系の中群又は後群を構成するレンズであって、フォーカス動作時に光軸方向に沿って移動して、焦点位置を変更する合焦光学系である。
【００１９】
ズームフォーカス環２０は、ピン１３ａと係合する第１のズームフォーカスカム部２０ａ，ピン１１ａと係合する第２のズームフォーカスカム部２０ｂ，直進溝１５ａと係合する係合部であるピン２０ｃを有している。第１のズームフォーカスカム部２０ａと第２のズームフォーカスカム部２０ｂとは、光軸に直交する面を基準として対称な形状となっている。
【００２０】
図２は、実施例１に使用する撮影光学系からから計算して最適化された１本のズームフォーカスカム曲線である。
このズームフォーカスカム曲線は、フォーカス動作時にフォーカスキー１５の回転角と被写体距離との関係が何れの焦点距離においても同じになるようにフォーカスレンズ枠１１の位置を決めるように計算されている。図２に示したズームフォーカスカム曲線では、この曲線に従ったカムを形成した枠部材を約１３０°回転させることにより、フォーカスレンズを光軸方向に１５ｍｍ移動しなければならないが、この場合、ズームフォーカスカムの最大傾斜角は７２°となり、先に述べた限界の角度である６７°より大きいため、フォーカス動作が困難となってしまうことが予想される。
【００２１】
そこで、本実施例では、ズームフォーカスカム曲線により与えられる移動量に相当する移動量を、第１のズームフォーカスカム部２０ａ，第２のズームフォーカスカム部２０ｂの２つに均等に分けてズームフォーカス環２０に形成した。
図３は、第１のズームフォーカスカム部２０ａ，第２のズームフォーカスカム部２０ｂのカム形状を説明する図である。
【００２２】
図３中、実線で示した曲線Ｋ１は、図２に示したズームフォーカスカム曲線から得たカム曲線であり、２点鎖線で示した曲線Ｋ２は、第１のズームフォーカスカム部２０ａ，第２のズームフォーカスカム部２０ｂのカム曲線である。曲線Ｋ２は、同量の回転角に対して曲線Ｋ１の１／２の移動量となるように設定されている。したがって、第１のズームフォーカスカム部２０ａにより決まる第１の移動量と第２のズームフォーカスカム部２０ｂにより決まる第２の移動量とを合成した合成移動量は、フォーカス動作時に所定のフォーカス状態の変化を生じさせるフォーカスキー１５（ズームフォーカス環２０）の回転角が、いずれの焦点距離においても略同一の回転角となるようにフォーカスレンズ枠１１の位置を決めるような移動量となっている。
本実施例では、このようにすることにより、必要な移動量を確保しながら、カムの最大傾斜角を３２°となるようにして、フォーカスレンズ枠１１を軽い駆動力で確実に駆動することができるようにしている。
【００２３】
次に、実施例１によるズームレンズ鏡筒におけるフォーカスレンズ枠１１の動作について説明する。
図４は、実施例１のズーム時とフォーカス時の動作を示す図である。図４（ａ）は、ズーム位置が広角端（Ｗｉｄｅ）であってフォーカス位置が至近である場合を示し、図４（ｂ）は、ズーム位置が望遠端（Ｔｅｌｅ）であってフォーカス位置が至近である場合を示し、図４（ｃ）は、ズーム位置が望遠端（Ｔｅｌｅ）であってフォーカス位置が無限（∞）である場合を示している。なお、図４（ａ）は、図１と同じ状態を示している。
【００２４】
まず、ズーム動作として、図４（ａ）の状態から、撮影者の操作によりズーム環１３が望遠側（図４中の下方）へ移動して図４（ｂ）の状態となる場合を説明する。この場合、ピン１３ａとフォーカス補正カム１２ａとの係合関係により、ズーム環１３は、回転しながら光軸に沿って被写体側へ移動する。
そうすると、ズームフォーカス環２０がフォーカスキー１５により回転規制されており、ピン１３ａと第１のズームフォーカスカム部２０ａとが係合しているので、ズームフォーカス環２０は、第１のズームフォーカスカム部２０ａにより決まる第１の移動量と、フォーカス補正カム１２ａにより決まる補正移動量とを合成した移動量だけ光軸方向に沿って移動する。なお、本実施例では、第１の移動量による移動成分は本体側への移動であり、補正移動量による移動成分は被写体側への移動であり、ズームフォーカス環２０は、被写体側へ移動する。
【００２５】
一方、フォーカスレンズ枠１１は、ピン１１ａが直進溝１３ｂに係合しているので、ズーム環１３の回転により回転駆動される。そして、ピン１１ａは、第２のズームフォーカスカム部２０ｂにも係合しているので、フォーカスレンズ枠１１は、回転しながらズームフォーカス環２０を基準として第２のズームフォーカスカム部２０ｂにより決まる第２の移動量だけ光軸方向に沿って移動する。ここで、先に説明したように、ズームフォーカス環２０が光軸方向に沿って第１の移動量と補正移動量を合成した移動量だけ移動しているので、フォーカスレンズ枠１１は、固定枠１２を基準としてみると、第１の移動量＋第２の移動量＋補正移動量だけ移動する。
【００２６】
なお、この例では、第１の移動量による移動成分は本体側への移動であり、補正移動量による移動成分は被写体側への移動であり、第１の移動量による移動成分は本体側への移動である。そして、補正移動量による移動成分が他の移動成分の和より大きい（図４参照）ので、フォーカスレンズ枠１１は、被写体側へ移動するが、第１の移動量と第２の移動量を合成した移動成分は、図２，３に示したズームフォーカスカム曲線により決まる移動量に相当している。
【００２７】
次に、フォーカス動作として、図４（ｂ）の状態から、フォーカスキー１５が撮影者の操作又は不図示のフォーカス駆動源からの回転駆動力を受けて光軸まわりで回転し、至近側から無限側（図４中の上方）へ移動して図４（ｃ）の状態となる場合を説明する。この場合、直進溝１５ａにピン２０ｃが係合しているので、ズームフォーカス環２０に回転駆動力が伝わる。第１のズームフォーカスカム部２０ａとピン１３ａが係合しており、フォーカス動作時には、ズーム環１３が回転しないので、ズームフォーカス環２０は、第１のズームフォーカスカム部２０ａにより決まる第１の移動量だけカメラ本体側へ回転しながら移動する。
また、第２のズームフォーカスカム部２０ｂがピン１１ａに係合し、直進溝１３ｂにより直進ガイドされているので、ズームフォーカス環２０の回転によりフォーカスレンズ枠１１は、ズームフォーカス環２０を基準として第２のズームフォーカスカム部２０ｂにより決まる第２の移動量（本実施例では、第１の移動量＝第２の移動量）だけ移動する。
【００２８】
ここで、先に述べたように、ズームフォーカス環２０は、第１のズームフォーカスカム部２０ａにより決まる第１の移動量だけカメラ本体側へ回転しながら移動しているので、フォーカスレンズ枠１１は、光軸まわりにおいて回転することなく第１の移動量と第２の移動量とを合成した移動量分だけ、光軸に沿った方向に移動する。この第１の移動量と第２の移動量とを合成した合成移動量は、図２，３に示したズームフォーカスカム曲線により決まる移動量に相当している。
なお、このフォーカス動作における第１及び第２の移動量は、第１のズームフォーカスカム部２０ａ及び第２のズームフォーカスカム部２０ｂの位置がズーム動作時とは異なっているので、先に説明したズーム動作時における第１及び第２の移動量とは別の値である。
【００２９】
本実施例によれば、第１のズームフォーカスカム部２０ａ及び第２のズームフォーカスカム部２０ｂの２つのカムにより、従来１つのカムにより形成されていたズームフォーカスカム曲線に相当する動作を行うことができるので、至近撮影可能距離が短く高倍率なズームレンズ鏡筒であっても、ズームフォーカス環２０の回転角と被写体距離との関係が何れの焦点距離においても略同じになり、フォーカス動作を容易に行うことができる。
【実施例２】
【００３０】
図５は、本発明によるズームレンズ鏡筒の実施例２の要部を示す図である。図２（ａ）は、ズームレンズ鏡筒のフォーカス駆動に関する部分を展開して示しており、図２（ｂ）は、図２（ａ）中に示したＢ１−Ｂ２断面を示している。
本実施例は、実施例１における第１のズームフォーカスカム部２０ａ，第２のズームフォーカスカム部２０ｂの配置を改良して第１のズームフォーカスカム部２２０ａ，第２のズームフォーカスカム部２２０ｂとした点のみが、実施例１と異なるので、前述した実施例１と同様の機能を果たす部分には、同一の符号を付して、重複する説明を適宜省略する。
【００３１】
ズームフォーカス環２２０には、第１のズームフォーカスカム部２２０ａと第２のズームフォーカスカム部２２０ｂとが、その円周方向の位置が、互いにずらして配置されている。したがって、ズームフォーカス環２２０は、実施例１におけるズームフォーカス環２０よりも光軸方向の幅を狭くすることができる。
本実施例のように、第１のズームフォーカスカム部２２０ａと第２のズームフォーカスカム部２２０ｂとの円周方向の位置がずれるように配置する場合には、１本のズームフォーカスカム曲線の移動量を２等分することにより、効率よくズームフォーカス環２２０上に第１のズームフォーカスカム部２２０ａ及び第２のズームフォーカスカム部２２０ｂを配置することが可能となり、小型のズームレンズ鏡筒とすることができる。
【００３２】
なお、第１のズームフォーカスカム部２２０ａ，第２のズームフォーカスカム部２２０ｂの機能等については、実施例１における第１のズームフォーカスカム部２０ａ，第２のズームフォーカスカム部２０ｂと同様である。
本実施例によれば、実施例１と同様な効果を奏しながら、より小型のズームレンズ鏡筒とすることができる。
【００３３】
（変形例）
以上説明した実施例に限定されることなく、種々の変形や変更が可能であって、それらも本発明の均等の範囲内である。
例えば、各実施例において、第１のズームフォーカスカム部（２０ａ，２２０ａ）と第２のズームフォーカスカム部（２０ｂ，２２０ｂ）とは、１本のズームフォーカスカム曲線の移動量を２等分した形状である例を示したが、これに限らず、例えば、３対７など、適宜分割する比率を変更してもよい。
【００３４】
また、各実施例において、ズームレンズ鏡筒は、交換レンズである例を示したが、これに限らず、例えば、交換不可能なズームレンズ鏡筒であってもよい。
【図面の簡単な説明】
【００３５】
【図１】本発明によるズームレンズ鏡筒の実施例１の要部を示す図である。
【図２】実施例１に使用する撮影光学系からから計算して最適化された１本のズームフォーカスカム曲線である。
【図３】第１のズームフォーカスカム部２０ａ，第２のズームフォーカスカム部２０ｂのカム形状を説明する図である。
【図４】実施例１のズーム時とフォーカス時の動作を示す図である。
【図５】本発明によるズームレンズ鏡筒の実施例２の要部を示す図である。
【符号の説明】
【００３６】
１１  フォーカスレンズ枠
１１ａ  ピン
１２  固定筒
１２ａ  フォーカス補正カム
１３  ズーム環
１３ａ  ピン
１３ｂ  直進溝
１５  フォーカスキー
１５ａ  直進溝
１６  フォーカスレンズ
２０  ズームフォーカス環
２０ａ  第１のズームフォーカスカム部
２０ｂ  第２のズームフォーカスカム部
２０ｃ  ピン
【図１】
2006072092.tif 000003
【図２】
2006072092.tif 000004
【図３】
2006072092.tif 000005
【図４】
2006072092.tif 000006
【図５】
2006072092.tif 000007